(57)【要約】【課題】開閉部材の開き限界を、所望の角度に機器の前面側より簡単な操作で設定可能な開閉機構を提供する。【解決手段】開閉機構４には、ヒンジ４０と、係合部材４１と、係止ピン４２と、開き限界操作部材である操作レバー４３が設けられる。ヒンジ４０は、画像形成装置１の本体２と開閉部材である原稿押さえ３との間に設けられる。操作レバー４３は、画像形成装置１の側面に、ヒンジ４０近傍を支点として設けられる。係合部材４１は板状の形状であって、操作レバー４３の支点にある軸４３ａに取り付けられ、原稿押さえ３の側面に設けられた係止ピン４２と係合する。操作レバー４３を角度変更すると、係合部材４１の角度が変化し、係止ピン４２との係合位置が変化する。これにより、原稿押さえ３の開き限界が設定できる。【選択図】      図１
2004258149.tif 000002
【特許請求の範囲】
【請求項１】
機器の上面に略水平に備えられた開閉部材を、その機器の背面側に設けられたヒンジを支点として、機器の前面側に位置する自由端に手を掛けて略垂直面内で開閉することが可能な開閉機構において、
前記開閉部材の開き限界設定手段を設け、この開き限界設定手段を操作する操作手段を前記機器の前面側に配置したことを特徴とする開閉機構。
【請求項２】
前記機器の側面に、前記ヒンジ近傍を支点とし、機器の前面側を自由端とし、自身の角度変更により前記開閉部材の開き限界が設定される操作部材を設けたことを特徴とする請求項１に記載の開閉機構。
【請求項３】
前記開閉部材に連結した紐状部材の緊張時点が開閉部材の開き限界となるとともに、この紐状部材の繰り出し量調整部材を前記機器の前面側に配置したことを特徴とする請求項１に記載の開閉機構。
【請求項４】
前記紐状部材が電動リールから繰り出されるとともに、この電動リールの操作手段を前記機器の前面側に配置したことを特徴とする請求項３に記載の開閉機構。
【請求項５】
前記機器より突出するラックが、前記開閉部材に係合する時点が開閉部材の開き限界となるとともに、このラックの突出量を変えるピニオンの回動操作部材を前記機器の前面側に配置したことを特徴とする請求項１に記載の開閉機構。
【請求項６】
前記ピニオンはモータにより回転せしめられるものであり、このモータの操作手段を前記機器の前面側に配置したことを特徴とする請求項５に記載の開閉機構。
【請求項７】
前記機器より突出するクランクロッドが、前記開閉部材に係合する時点が開閉部材の開き限界となるとともに、このクランクロッドの突出量を変えるクランクの回動操作部材を前記機器の前面側に配置したことを特徴とする請求項１に記載の開閉機構。
【請求項８】
前記クランクはモータにより回転せしめられるものであり、このモータの操作手段を前記機器の前面側に配置したことを特徴とする請求項７に記載の開閉機構。
【発明の詳細な説明】
【０００１】
【発明の属する技術分野】
本発明は、機器の上面に略水平に備えられた開閉部材を、その機器の背面側に設けられたヒンジを支点として、機器の前面側に位置する自由端に手をかけて略垂直面内で開閉することが可能な開閉機構に関する。
【０００２】
【従来の技術】
例えば、複写機やスキャナ等の画像形成装置には、原稿台に載置された原稿を保持するための原稿押さえが設けられている。この原稿押さえは、画像形成装置の上面に設けられ、原稿押さえ自体に自動原稿送り装置を備えたものも存在する。そして、原稿押さえは、画像形成装置の背面側に設けられたヒンジを支点として、画像形成装置の前面側に位置する自由端に手をかけて略垂直面内で開閉することが可能な開閉機構によって、その開閉操作が可能となっている。使用者は、原稿押さえの前面側に手を掛け、原稿押さえを押し上げ、引き下げることで開閉操作を行う。
【０００３】
この開閉機構のヒンジには、トグル機構が組み込まれている。これにより、原稿押さえを開く時に所定の角度まで開いて手を離すと、原稿押さえはひとりでに開き限界に達するとともにその状態を維持する。また、これとは異なる角度まで原稿押さえを閉じて手を離すと、ひとりでに画像形成装置の上面に密着して完全に閉じた状態となる。
【０００４】
ここで、使用者が、背の低い人、或いは病気やけが等による障害がある人等であって、高い所まで手が届かない場合、原稿押さえが開き限界に達した時に、原稿押さえを閉めることができないという問題が生じる。
【０００５】
この対策として、ストッパのような部材を用いて原稿押さえの開き限界を規制したり、特許文献１にも見られるように、このストッパに加えてロック部材を用いて原稿押さえの開き限界を調整したりすることが可能な開閉機構が提案されている。
【０００６】
【特許文献１】
特開２００１−２９６７１０号公報
【０００７】
【発明が解決しようとする課題】
しかしながら、原稿押さえの自由端に手を掛けることが可能な原稿押さえの開き限界は、使用者によって異なる。このため、上記の開閉機構のように、ストッパによって予め決められた角度に開き限界を規制することは、操作性が悪くなるという問題が発生する。また、原稿押さえの開き限界を調整する操作は、使用者が機器の背面側まで移動する、或いは背面側まで手を伸ばして操作する必要があり、たいへん手間が掛かる。病気やけが等による障害がある人にとっては、なおさら不便である。
【０００８】
本発明は上記の点に鑑みなされたものであり、機器の上面に略水平に備えられた開閉部材を、その機器の背面側に設けられたヒンジを支点として、機器の前面側に位置する自由端に手を掛けて略垂直面内で開閉することが可能な開閉機構において、開閉部材の開き限界を、所望の角度に機器の前面側より簡単な操作で設定可能な開閉機構を提供することを目的とする。
【０００９】
【課題を解決するための手段】
上記の課題を解決するため、本発明は、機器の上面に略水平に備えられた開閉部材を、その機器の背面側に設けられたヒンジを支点として、機器の前面側に位置する自由端に手を掛けて略垂直面内で開閉することが可能な開閉機構において、前記開閉部材の開き限界設定手段を設け、この開き限界設定手段を操作する操作手段を前記機器の前面側に配置した。
【００１０】
この構成によれば、開閉部材の開き限界を、所望の角度に機器の前面側より設定することができる。その結果、使用者自身が各々所望の角度に開閉部材の開き限界を設定できるので、使用者によって開閉部材に手が届かなくなるという問題を解消することが可能となる。また、開閉部材の開き限界を設定するために、使用者が機器の背面側に移動したり、手を伸ばしたりする必要がないので、手間が掛からず、たいへん好都合である。
【００１１】
また、前記機器の側面に、前記ヒンジ近傍を支点とし、機器の前面側を自由端とし、自身の角度変更により前記開閉部材の開き限界が設定される操作部材を設けた。
【００１２】
この構成によれば、操作部材を手で直接角度変更するだけで、容易に所望の開閉部材の開き限界を設定することができる。その結果、より簡単な構成で開閉部材の開き限界設定手段を得ることができる。これにより、構造の簡素化が図れるとともに、製造コストの上昇も抑えることが可能である。また、機器の前面側から簡単に操作を行うことができるので、手間が掛からず好都合である。
【００１３】
また、前記開閉部材に連結した紐状部材の緊張時点が開閉部材の開き限界となるとともに、この紐状部材の繰り出し量調整部材を前記機器の前面側に配置した。
【００１４】
この構成によれば、紐状部材の繰り出し量を調整するだけで、容易に所望の開閉部材の開き限界を調整することができる。その結果、複雑な構成を形成することなく、開閉部材の開き限界設定手段を得ることができる。また、機器の前面側から操作を行うことができるので、手間が掛からず好都合である。
【００１５】
また、前記紐状部材が電動リールから繰り出されるとともに、この電動リールの操作手段を前記機器の前面側に配置した。
【００１６】
この構成によれば、紐状部材の繰り出し量を、自動的且つ迅速に調整することが可能である。その結果、例えば所定の開き限界を予め設定したボタンを操作手段に設けておけば、このボタンを一つ押すだけで、さらに簡単に開閉部材の開き限界を設定することができ、作業時間の短縮や操作性の向上を図ることが可能となる。また、電動リールとその操作手段との間を信号ケーブルで連結するだけで良いので、開閉機構をよりコンパクトにすることができる。
【００１７】
また、前記機器より突出するラックが、前記開閉部材に係合する時点が開閉部材の開き限界となるとともに、このラックの突出量を変えるピニオンの回動操作部材を前記機器の前面側に配置した。
【００１８】
この構成によれば、ラックの突出量を調整するだけで、容易に所望の開閉部材の開き限界を調整することができる。その結果、複雑な構成を形成することなく、開閉部材の開き限界設定手段を得ることができる。また、機器の前面側から操作を行うことができるので、手間が掛からず好都合である。
【００１９】
また、前記ピニオンはモータにより回転せしめられるものであり、このモータの操作手段を前記機器の前面側に配置した。
【００２０】
この構成によれば、ラックの突出量を、自動的且つ迅速に調整することが可能である。その結果、例えば所定の開き限界を予め設定したボタンを操作手段に設けておけば、このボタンを一つ押すだけで、さらに簡単に開閉部材の開き限界を設定することができ、作業時間の短縮や操作性の向上を図ることが可能となる。また、モータとその操作手段との間を信号ケーブルで連結するだけで良いので、開閉機構をよりコンパクトにすることができる。
【００２１】
また、前記機器より突出するクランクロッドが、前記開閉部材に係合する時点が開閉部材の開き限界となるとともに、このクランクロッドの突出量を変えるクランクの回動操作部材を前記機器の前面側に配置した。
【００２２】
この構成によれば、クランクロッドの突出量を調整するだけで、容易に所望の開閉部材の開き限界を調整することができる。その結果、複雑な構成を形成することなく、開閉部材の開き限界設定手段を得ることができる。また、機器の前面側から操作を行うことができるので、手間が掛からず好都合である。
【００２３】
また、前記クランクはモータにより回転せしめられるものであり、このモータの操作手段を前記機器の前面側に配置した。
【００２４】
この構成によれば、クランクロッドの突出量を、自動的且つ迅速に調整することが可能である。その結果、例えば所定の開き限界を予め設定したボタンを操作手段に設けておけば、このボタンを一つ押すだけで、さらに簡単に開閉部材の開き限界を設定することができ、作業時間の短縮や操作性の向上を図ることが可能となる。また、モータとその操作手段との間を信号ケーブルで連結するだけで良いので、開閉機構をよりコンパクトにすることができる。
【００２５】
【発明の実施の形態】
以下、本発明の実施形態を図に基づき説明する。なおここでは、開閉機構を備えた機器が、複写機やスキャナ等の画像形成装置であるとして設計されているものとする。
【００２６】
図１は、本発明の第１の実施形態に係る画像形成装置の上面斜視図である。画像形成装置１には、本体２と、原稿押さえ３が設けられ、これらの間には開閉機構４が設けられている。
【００２７】
本体２には、原稿読み取り部２０と、複写操作部２１と、複写紙排出部２２が設けられている。原稿読み取り部２０は本体２の上面に、複写操作部２１は前面側に設けられ、複写紙排出部２２はこれらの下方の胴体内に設けられている。原稿読み取り部２０に原稿を載置して、原稿押さえ３を閉じ、複写操作部２１によって所定の操作を行うことで複写された用紙が複写紙排出部２２に排出される。
【００２８】
開閉部材である原稿押さえ３は、画像形成装置１の背面側に設けられたヒンジ４０を支点として、画像形成装置１の前面側に位置する自由端に手を掛けて、略垂直面内で開閉することが可能である（矢印Ａ）。原稿押さえ３は、原稿を原稿読み取り部２０に載置したり、取り除いたりするために開けられ、複写時に原稿を押さえるために閉じられる。この開閉操作を行う場合、使用者は原稿押さえ３の開閉操作部３ａに手を掛けて行う。原稿押さえ３には、自動原稿装置３０が設けられているので、ここに複数枚の原稿を置くことにより、連続して複写することも可能である。
【００２９】
開閉機構４には、ヒンジ４０と、係合部材４１と、係止ピン４２と、開き限界設定手段の操作手段である操作レバー４３が設けられている。
【００３０】
ヒンジ４０は、画像形成装置１の背面側の、本体２と原稿押さえ３との間の、左右に１個ずつ計２個設けられている。このヒンジ４０には、前述のようなトグル機構が組み込まれている。これにより、原稿押さえ３を開く時に所定の角度まで開いて手を離すと、原稿押さえ３はひとりでに開き限界に達するとともにその状態を維持する。また、これとは異なる角度まで原稿押さえ３を閉じて手を離すと、ひとりでに本体２の上面に密着して完全に閉じた状態となる。
【００３１】
開き限界設定手段の操作手段である操作レバー４３は、画像形成装置１の側面に、ヒンジ４０近傍を支点とし、画像形成装置１の前面側を自由端として設けられる。係合部材４１は板状の形状であって、操作レバー４３の支点にある軸４３ａに取り付けられ、原稿押さえ３の側面に設けられた係止ピン４２と係合する。係合部材４１は、開き限界設定手段としての役割を果たす。
【００３２】
ここで、操作レバー４３を上下に角度変更すると（矢印Ｂ）、係合部材４１の角度が変化し、原稿押さえ３に設けられた係止ピン４２との係合位置が変化する。したがって、操作レバー４３の角度変更により原稿おさえ３の開き限界が設定できる。なお、操作レバー４３の支点部分には、操作レバー４３から手を離しても、角度変更が容易になされない程度の摩擦力が作用している。
【００３３】
このようにして、開閉部材である原稿押さえ３の開き限界を、所望の角度に画像形成装置１の前面側より設定することができる。その結果、使用者自身が各々所望の角度に原稿押さえ３の開き限界を設定できるので、使用者によって原稿押さえ３に手が届かなくなるという問題を解消することが可能となる。また、原稿押さえ３の開き限界を設定するために、使用者が画像形成装置１の背面側に移動したり、手を伸ばしたりする必要がないので、手間が掛からず、たいへん好都合である。
【００３４】
また、開き限界設定手段の操作手段である操作レバー４３を手で直接角度変更するだけで、容易に所望の原稿押さえ３の開き限界を設定することができる。これにより、構造の簡素化が図れるとともに、製造コストの上昇も抑えることが可能である。
【００３５】
図２は、本発明の第２の実施形態に係る画像形成装置の側面図である。第２の実施形態では、画像形成装置１の本体２に、紐状部材であるワイヤ４４と、背面側プーリ４５と、前面側プーリ４６と、テンション調整プーリ４７と、ワイヤの繰り出し量調整部材である操作レバー４８が設けられている。
【００３６】
紐状部材であるワイヤ４４は、その一端が開閉部材である原稿押さえ３のヒンジ４０よりやや前面側に連結され、他方がワイヤ４４の繰り出し量調整部材である操作レバー４８の最下端に連結している。そして、ワイヤ４４は、原稿押さえ３と操作レバー４８の間で、本体に取り付けられた背面側プーリ４５と、前面側プーリ４６に掛けられている。テンション調整プーリ４７は、ばね４９を介して本体２に取り付けられており、ワイヤ４４のテンションを自動的に調節する。
【００３７】
ワイヤ４４の繰り出し量調整部材である操作レバー４８は、支点４８ａを中心として前後に所定の角度の範囲で回転が可能である。前述のように、操作レバー４８の最下端にはワイヤ４４が連結されている。
【００３８】
この構成においては、原稿押さえ３に連結したワイヤ４４の緊張時点が原稿押さえ３の開き限界となる。すなわちワイヤ４４は開き限界設定手段として機能する。ここで、操作レバー４８を上下に角度変更すると（矢印Ｃ）、これに連結するワイヤ４４の繰り出し量が変化するので、ワイヤ４４が他方で連結する原稿押さえ３の開き限界が設定できる（矢印Ｄ）。したがって、紐状部材であるワイヤ４４の繰り出し量を、操作レバー４８によって調整するだけで、容易に所望の原稿押さえ３の開き限界を調整することができる。なお、操作レバー４８の支点４８ａには、操作レバー４８から手を離しても、角度変更が容易になされない程度の摩擦力が作用している。
【００３９】
なお、ワイヤ４４は、紐状であれば合成繊維等の金属以外の素材で作られた部材であっても構わない。
【００４０】
図３は、本発明の第３の実施形態に係る画像形成装置の部分断面要部側面図である。第３の実施形態では、前記第２の実施形態と同様に、紐状部材であるワイヤ４４の緊張時点が開閉部材である原稿押さえ３の開き限界となるようにして、つまみ４９を画像形成装置１の前面側に配置し、ワイヤ４４の繰り出し量調整部材としている。ワイヤ４４はプーリ５０〜５２に掛けられ、プーリ５０と５１の間にはテンション調整ばね５３が取り付けられている。
【００４１】
この構成においても、つまみ４９を前後に移動すると（矢印Ｅ）、ワイヤ４４の繰り出し量が変化し、原稿押さえ３の開き限界が設定できる（矢印Ｆ）。したがって、紐状部材であるワイヤ４４の繰り出し量を、繰り出し量調整部材であるつまみ４９によって調整するだけで、容易に所望の原稿押さえ３の開き限界を調整することができる。なお、つまみ４９の取り付け部分には、つまみ４９から手を離しても、つまみ４９が移動せずにその場に留まる程度の摩擦力が作用している。
【００４２】
図４は、本発明の第４の実施形態に係る画像形成装置の開閉機構のヒンジ部を示す部分斜視図である。第４の実施形態では、前記第２及び第３の実施形態と同様に、紐状部材であるワイヤ４４の緊張時点が開閉部材である原稿押さえの開き限界となるようにして、ワイヤ４４の繰り出しを行うための電動リール５４がヒンジ４０下方の本体２内側に設けられている。
【００４３】
電動リール５４の駆動部はステッピングモータで構成され、通電ＯＦＦ時の回転保持用の電磁ブレーキを備えている（図示せず）。電動リール５４の操作手段は、画像形成装置１の前面側に設けられている（図示せず）。この操作手段は、例えば、予めいくつかの開き限界を設定したボタン群や、所望の開き限界を数値入力するテンキーで構成される。また、ワイヤ４４の他端は、原稿押さえ側ヒンジ片４０ａに連結されている。
【００４４】
使用者が、画像形成装置１の前面側に設けられた操作手段を使用して原稿押さえ３の開き限界を設定すると、この設定に基づいて、電動リール５４がワイヤ４４を繰り出す方向に所定の角度まで回転する（図４（ｂ）矢印Ｇ）。ここで電動リール５４への通電を止めると、電磁ブレーキによってその回転が保持される。次に、原稿押さえ３を開くと（同矢印Ｈ）、電動リール５４から繰り出されたワイヤ４４が徐々に引き上げられ、ワイヤ４４が緊張状態になると原稿押さえ３が開き限界に達する。
【００４５】
このようにして、紐状部材であるワイヤ４４の繰り出し量を、自動的且つ迅速に調整することが可能である。その結果、上記のように予め所定の開き限界を設定したボタンを操作手段として設けておけば、このボタンを一つ押すだけで、さらに簡単に原稿押さえ３の開き限界を設定することができ、作業時間の短縮や操作性の向上を図ることが可能となる。また、電動リール５４とその操作手段との間を信号ケーブルで連結するだけで良いので、開閉機構４をよりコンパクトにすることができる。
【００４６】
なお、電動リール５４の駆動及び制御は、ステッピングモータや電磁ブレーキと同等の機能を有する他の部材であっても構わない。例えば、サーボモータを用いてエンコーダで回転角制御を行っても良い。
【００４７】
図５は、本発明の第５の実施形態に係る画像形成装置とその開閉機構の係合部を示す要部側面図である。第５の実施形態では、画像形成装置１の本体２に、操作プーリ５５と、従動プーリ５６と、無端ベルト５７と、ラック５８が設けられている。従動プーリ５６には、その回転と同じ方向に回動するようにピニオン５９が備えられている。
【００４８】
画像形成装置１の本体２の前面側に取り付けられた操作プーリ５５と、背面側に取り付けられた従動プーリ５６に、無端ベルト５７が掛けられている。従動プーリ５６には、前述のようにピニオン５９が備えられ、従動プーリ５６の回転に従いその同じ方向にピニオン５９が回動する。したがって、これら操作プーリ５５と、従動プーリ５６と、無端ベルト５７がピニオン５９の回動操作部材である。このピニオン５９にはラック５８が噛み合い、ラック５８はその上端部が画像形成装置１の本体２の上面より突出する。ラック５８の上端部には、係止ピン６０が設けられ、開閉部材である原稿押さえ３に設けられた係合部材６１と係合する（図５（ｂ）参照）。
【００４９】
この構成によれば、画像形成装置１の本体２より突出するラック５８の係止ピン６０が、原稿押さえ３の係合部材６１に係合する時点が原稿押さえ３の開き限界となる。すなわちラック５８は開き限界設定手段として機能する。ここで、操作プーリ５５を前後に回転すると（矢印Ｉ）、無端ベルト５７を介して従動プーリ５６とともにピニオン５９が回動し、ピニオン５９に噛み合うラック５８の突出量が変化するので（矢印Ｊ）、ラック５８と係合する原稿押さえ３の開き限界が設定できる（矢印Ｋ）。したがって、ラック５８の突出量を調整するだけで、容易に所望の原稿押さえ３の開き限界を調整することができる。なお、操作プーリ５５の軸には、操作プーリ５５から手を離しても、操作プーリ５５が回転せずに止まっている程度の摩擦力が作用している。
【００５０】
なお、ピニオン５９の回動操作部材は、上記の二つのプーリとこれらに掛かる無端ベルトのような構成でなくても構わない。例えば、操作プーリをレバーのような操作部材に代えても良い。また、ピニオン５９がモータにより回転せしめられるものであって、このモータの操作手段を画像形成装置の前面側に配置するという構成であっても良い。操作手段は、例えば、予めいくつかの開き限界を設定したボタン群や、所望の開き限界を数値入力するテンキーで構成される。
【００５１】
図６は、本発明の第６の実施形態に係る画像形成装置の開閉機構のヒンジ部を示す部分斜視図である。第６の実施形態では、開閉機構４のヒンジ４０部に、クランク６２と、クランクロッド６３と、係止ピン６４が設けられている。
【００５２】
クランク６２の駆動部はステッピングモータで構成され、通電ＯＦＦ時の回転保持用の電磁ブレーキを備えている（図示せず）。クランク６２は、ヒンジ４０下方の本体２内側に設けられている。クランク６２の操作手段は、画像形成装置１の前面側に設けられている（図示せず）。この操作手段は、例えば、予めいくつかの開き限界を設定したボタン群や、所望の開き限界を数値入力するテンキーで構成される。クランク６２には、クランクロッド６３が取り付けられ、クランクロッド６３はその上部が画像形成装置１の本体２の上面から突出している。このクランクロッド６３には溝６３ａが設けられ、この溝６３ａに原稿押さえ側ヒンジ片４０ａに設けられた係止ピン６４が挿入される。
【００５３】
使用者が、画像形成装置１の前面側に設けられた操作手段を使用して原稿押さえ３の開き限界を設定すると、この設定に基づいて、クランク６２がクランクロッド６３を押し上げる方向に所定の角度まで回転する（図６（ｂ）矢印Ｌ）。ここでモータへの通電を止めると、電磁ブレーキによってその回転が保持される。次に、原稿押さえ３を開くと（同矢印Ｍ）、クランクロッド６３に設けられた溝６３ａに沿って、原稿押さえ側ヒンジ片４０ａに設けられた係止ピン６４が徐々に上がり、これらが係合状態になると原稿押さえ３が開き限界に達する。すなわちクランクロッド６３は開き限界設定手段として機能する。
【００５４】
このようにして、クランクロッド６３の突出量を調整するだけで、容易に所望の原稿押さえ３の開き限界を調整することができる。また、クランクロッド６２の突出量を、自動的且つ迅速に調整することが可能である。その結果、上記のように予め所定の開き限界を設定したボタンを操作手段として設けておけば、このボタンを一つ押すだけで、さらに簡単に原稿押さえ３の開き限界を設定することができ、作業時間の短縮や操作性の向上を図ることが可能となる。また、モータとその操作手段との間を信号ケーブルで連結するだけで良いので、開閉機構４をよりコンパクトにすることができる。
【００５５】
なお、クランク６２の駆動及び制御は、ステッピングモータや電磁ブレーキと同等の機能を有する他の部材であっても構わない。例えば、サーボモータを用いてエンコーダで回転角制御を行っても良い。また、クランク６２の回動操作は、モータ等によって必ずしも自動的に行われる必要はなく、前記第５の実施形態のように、二つのプーリとこれらに掛かる無端ベルトのような回動操作部材を用いて手動で行っても構わない。
【００５６】
上記のように本発明の実施形態を示したが、この他、発明の主旨を逸脱しない範囲で種々の変更を加えて実施することができる。例えば、図１に示す第１の実施形態では、開閉機構４を構成する係合部材４１と、係止ピン４２と、開き限界設定手段の操作手段である操作レバー４３が、画像形成装置１の左側に設けられているが、これらを画像形成装置１の右側に設けても構わない。また、第２〜第６の実施形態においては、開閉機構４を、画像形成装置１の左側や右側、或いは画像形成装置１の筐体の内側など、いずれの場所に設けても構わない。
【００５７】
【発明の効果】
本発明の構成によれば、開閉部材の開き限界を、所望の角度に機器の前面側より設定することができる。その結果、使用者自身が各々所望の角度に開閉部材の開き限界を設定できるので、使用者によって開閉部材に手が届かなくなるという問題を解消することが可能となる。また、開閉部材の開き限界を設定するために、使用者が機器の背面側に移動したり、手を伸ばしたりする必要がないので、手間が掛からず、たいへん好都合である。
【図面の簡単な説明】
【図１】本発明の第１の実施形態に係る画像形成装置の上面斜視図
【図２】本発明の第２の実施形態に係る画像形成装置の側面図
【図３】本発明の第３の実施形態に係る画像形成装置の部分断面要部側面図
【図４】本発明の第４の実施形態に係る画像形成装置の開閉機構のヒンジ部を示す部分斜視図
【図５】本発明の第５の実施形態に係る画像形成装置とその開閉機構の係合部を示す要部側面図
【図６】本発明の第６の実施形態に係る画像形成装置の開閉機構のヒンジ部を示す部分斜視図
【符号の説明】
１    画像形成装置
２    本体
３    原稿押さえ
４    開閉機構
４０  ヒンジ
４１、６１  係合部材
４２、６０、６４  係止ピン
４３、４８  操作レバー
４４  ワイヤ
４９  つまみ
５４  電動リール
５８  ラック
５９  ピニオン
６２  クランク
６３  クランクロッド
【図１】
2004258149.tif 000003
【図２】
2004258149.tif 000004
【図３】
2004258149.tif 000005
【図４】
2004258149.tif 000006
【図５】
2004258149.tif 000007
【図６】
2004258149.tif 000008